(57)【要約】  【課題】  看護端末の操作性を向上した看護支援システムを提供する。  【解決手段】  患者識別情報をワイヤレスで送信する非接触タグ装置１０１と、前記送信された患者識別情報を受信する非接触タグ読取装置２０６と、この非接触タグ読取装置２０６が接続される院内ネットワーク１０６と、前記院内ネットワークに接続され前記患者識別情報とともにその端末自身の装置識別情報を送信する看護支援端末１０４と、前記院内ネットワークに接続され看護支援端末１０４を含む複数の端末を制御する看護支援サーバ１０５と、を備える。看護支援サーバ１０５は、看護支援端末１０４より前記患者識別情報及び装置識別情報を受信する毎に、該患者識別情報によって特定される患者医療情報をその患者に関係する医療従事者が所有する看護支援端末へ送信し、前記関係医療従事者が所有する看護支援端末は、看護支援サーバ１０５によって送信された患者医療情報をその端末の所有者に報知させる。【選択図】      図１
2006172340.tif 000002
【特許請求の範囲】
【請求項１】
患者識別情報をワイヤレスで送信する非接触タグ手段と、
前記送信された患者識別情報を受信する非接触タグ読取手段と、
この非接触タグ読取手段が接続される院内ネットワークと、
前記院内ネットワークに接続され前記患者識別情報とともにその端末自身の装置識別情報を送信する複数のクライアント端末と、
前記院内ネットワークに接続され前記クライアント端末を制御するものであって、前記クライアント端末より前記患者識別情報及び装置識別情報を受信する毎に、該患者識別情報によって特定される患者医療情報をその患者に関係する医療従事者が所有するクライアント端末へ送信し、該送信された患者医療情報を当該クライアント端末の所有者に報知させるサーバと、を備えたことを特徴とする看護支援システム。
【請求項２】
前記非接触タグ読取手段は、前記非接触タグ手段によって送信された患者識別情報を受信すると共に、前記クライアント端末によって送信された装置識別情報を受信することを特徴とする請求項1に記載の看護支援システム。
【発明の詳細な説明】
【技術分野】
【０００１】
本発明は、看護師などの医療従事者が端末を用いて看護データを送受信する看護支援システムに関する。
【背景技術】
【０００２】
従来の医療情報提供システムは、特許文献1に記載されている。特許文献1の記載内容は、 患者に施す予定の看護計画を含む情報をコード化する手段と、携帯が可能で、コード化された情報を取り込み、取り込んだ看護計画の情報を記憶し、看護作業を特定する識別情報を取り込み、前記認識した識別情報と前記看護計画の情報を照合し、照合結果を出力し、取り込んだ情報に基づき看護作業の履歴情報として記憶する携帯型コンピュータと、を備え、施されようとしている看護作業が間違いないかチェックした情報を記録することで、人の思いこみによる医療器具、薬品、患者の取り違え等の医療ミスを、携帯型コンピュータの照合により確実に防止し、そして医療行為を施した場合の医療行為の内容、時刻、担当者が電子情報として記録され管理できるものである。
【特許文献１】特開2002-024376号公報
【発明の開示】
【発明が解決しようとする課題】
【０００３】
しかしながら、特許文献1では、次の(1)，(2)の点が配慮されていない。
(１)所望の患者医療情報を表示するのに、看護支援端末の表示部に、看護作業を行う予定の患者の一覧を表示させ、その中から選択する、あるいは患者固有のコードを入力する等して、患者を選択する看護支援端末の煩雑な操作が必要となる。
(２)ユーザが操作を行ってから目的の患者の医療情報を看護支援サーバから取得する場合では、操作後にさらに通信時間がかかり、必要なときに看護データを入手することができない可能性がある。
【０００４】
本発明の目的は、医療従事者が所有の端末の操作性を向上した看護支援システムを提供することにある。
【課題を解決するための手段】
【０００５】
上記目的を達成するために、本発明の看護支援システムは、患者識別情報をワイヤレスで送信する非接触タグ手段と、前記送信された患者識別情報を受信する非接触タグ読取手段と、この非接触タグ読取手段が接続される院内ネットワークと、前記院内ネットワークに接続され前記患者識別情報とともにその端末自身の装置識別情報を送信する複数のクライアント端末と、前記院内ネットワークに接続され前記クライアント端末を制御するものであって、前記クライアント端末より前記患者識別情報及び装置識別情報を受信する毎に、該患者識別情報によって特定される患者医療情報をその患者に関係する医療従事者が所有するクライアント端末へ送信し、該送信された患者医療情報を当該クライアント端末の所有者に報知させるサーバと、を備えることを特徴としている。
【０００６】
即ち、このシステムは、例えば、各病室の出入口及び患者のベッド、名札等の患者を特定可能な物に非接触タグ装置を装着及び配設し、医師、看護師等の院内の病院スタッフが操作するクライアントPC及びPDA、ベッドサイド端末等の看護支援端末に取り付けられた非接触タグ読取装置により、前記非接触タグ装置から患者認別情報を読み取り、この患者識別情報を看護支援端末の装置識別情報とともに院内ネットワークを介して看護支援サーバに送信する。看護支援サーバは、患者識別情報及び装置識別情報を受信すると、該患者識別情報によって特定される患者の医療情報を前記看護支援端末に送信する。看護支援端末は、受信した医療情報を画面上に表示するなど、その操作者に報知させる。
【０００７】
また、前記非接触タグ読取手段は、前記非接触タグ手段によって送信された患者識別情報を受信すると共に、前記クライアント端末によって送信された装置識別情報を受信してもよい。
【０００８】
これにより、前記装置識別情報から看護支援端末が自動的に特定された患者の医療情報を看護支援サーバから取得するため、看護支援端末を操作する医師、看護師等の院内の病院スタッフに意識されることなく、目的の患者の医療情報を自動的に看護支援端末に表示できる。また予め目的の患者の医療情報を取得するため、看護支援端末を操作する病院スタッフに通信時間を感じさせることなく、病院スタッフの業務効率の向上を実現する。
【発明の効果】
【０００９】
本発明によれば、医療従事者が所有の端末の操作性を向上できる。
【発明を実施するための最良の形態】
【００１０】
[第一の実施形態]
以下、添付の図面を参照し説明する。図1は、本発明の請求項1に記載の看護支援システム100の構成の一例を示すブロック図である。
図1に示すように、看護支援システム100は、非接触タグ装置101，102，103と、非接触タグ読取装置が取り付けられた看護支援端末104と、看護支援サーバ105と、院内ネットワーク106とを有している。
【００１１】
院内ネットワーク106は、病院内のネットワークを例としているが、病院内のネットワークのほか、患者個人にとって最高機密に当たる医療情報をデータ転送するものであるから、セキュリティが確立されたもとでのインターネット等、ローカルだけでなくワールドワイドなネットワークであってもよい。また、院内ネットワーク106は、携帯電話システム、PHSシステム等の公衆通信網や、無線LANシステム等の無線による通信網や、専用回線および有線LANシステム等の有線による通信網等を組み合わせたものであってもよい。
【００１２】
また、クライアントPCおよびPDA、ベッドサイド端末等の看護支援端末104は、それぞれ複数台用意し、院内ネットワーク106を介して看護支援サーバ105と接続してもよい。また、クライアントPCおよびPDA、ベッドサイド端末等の看護支援端末104は、病院内で種々の業務を行う複数人の医療スタッフが携帯して使用してもよく、病院案内板や、待ち合い表示板、病棟および病室内のベットサイド端末、ナースステーションおよび診察室内の電子カルテ端末、病院受付け窓口の受付け端末、会計処理端末等、病院内のあらゆる場所に設置されたコンピュータにソフトウエアをインストールすることで看護支援端末104として使用することができる。
【００１３】
非接触タグ装置101，102，103は、予め入院患者を特定可能な各病室の出入口付近及び患者のベッド等に取り付けられている。また、非接触タグ装置101，102，103は、予め病院で準備された各入院患者用の名札に装着されている。尚、非接触タグ装置101，102，103を装着する物は、上記病室の出入口付近及び患者のベッド、名札に限らず、衣服、専用装具でもよく、要は患者を特定可能なものであれば、いかなる物でもよい。
【００１４】
ここで図2に示す様に、非接触タグ装置101は予め入院患者を特定可能な各病室の出入口付近に、非接触タグ装置102は予め入院患者を特定可能な各病室内のベッドに、非接触タグ装置103は予め病院で準備された各入院患者用の名札に、それぞれ配設及び装着されているものとする。
この非接触タグ装置は、患者識別情報(患者ID)を記憶する機能と、看護支援端末104に取り付けられた非接触タグ読取装置と通信して患者IDを送信する通信機能を有している。
【００１５】
看護支援端末104は、携帯電話や、PHS、携帯情報端末(PDA)等の情報通信機器及びパーソナルコンピュータやワークステーションと、その上で動作するソフトウエアから構成され、文字データ及び画像データによって、診療録や、看護記録、医用画像等の医療現場で発生する医療情報を提供する。
すなわち、看護支援端末104は、ユーザ操作入力手段201と、ディスプレイ202と、通信手段203と、データ格納手段204と、制御手段205と、非接触タグ読取装置206と、通知手段207とを有している。
【００１６】
ユーザ操作入力手段201は、ユーザの操作を受付けるための、カーソルキー、ボタン、スイッチ、タッチパネル等の操作用機器から構成される。また、ユーザ操作を受付ける方法としては、音声入力と音声認識技術を利用し、ユーザの発声により受付けるようにしてもよい。
【００１７】
ディスプレイ202は、液晶パネル等から構成されるもので、看護支援端末104内に格納されたデータ、あるいは、ユーザの操作を促すための、メニューやガイダンス等の操作支援情報を表示する手段であり、待ち合い表示板や、患者へのインフォームドコンセント用の説明画面、医師及び看護師等の医療スタッフのカンファレンス用の説明及び連絡画面、医療情報等を表示する機能を有している。
【００１８】
通信手段203は、無線により院内ネットワーク106に接続されている場合、アンテナ、送受信信号の変復調装置、通信インターフェース等から構成され、有線により院内ネットワーク106に接続されている場合、送受信信号の変復調装置、通信インターフェース等から構成される。
通信手段203は、看護支援サーバ105から、院内ネットワーク106を介して、医療情報を受信し、データ格納手段204に渡す働きを有している。また、非接触タグ装置101，102，103から受信した患者IDとともに看護支援端末の装置識別情報を送信する働きを有している。
【００１９】
また、通信手段203は、ユーザ認証時に必要となるユーザ名、パスワード等のユーザ認証情報を院内ネットワーク106を介して、看護支援サーバ105に送信し、所定のユーザ認証処理を行ってもよい。
【００２０】
データ格納手段204は、データ記憶用のメモリや、外部記憶装置から構成されるものであり、通信手段203から渡された患者情報及び非接触タグ読取装置206で読み取った患者ID、予め設定されている看護支援端末の装置識別情報等を格納するとともに、制御手段205からの要求に基づき、格納してある患者情報等を制御手段205へと渡す働きを有している。
【００２１】
制御手段205は、CPUやDSP等として知られる一般的なコンピュータの演算装置から構成されるものであり、データ格納手段204から読み出した医療情報をディスプレイ202に表示する。
【００２２】
非接触タグ読取装置206は、非接触タグ装置101，102，103への電力供給及び通信用のアンテナコイルを備え、非接触タグ装置101，102，103と近接無線通信を行い、非接触タグ装置101，102，103から患者IDを読み取る機能を有している。
【００２３】
通知手段207は、看護支援サーバ105から医療情報を取得した旨を通知するための機能として、LED207A及びLEDが発光する光を点滅させる光点滅部207Bと、看護支援端末を振動させるバイブレーション207Cと、アラーム音や合成音声を出来するスピーカー207D及び音声出力部207Eとを有している。
【００２４】
看護支援サーバ105は、パーソナルコンピュータやワークステーション等と、その上で動作するソフトウエアから構成され、看護支援端末104に提供する文字データ及び画像データによって、診療録や、看護記録、医用画像等の医療現場で発生する医療情報を格納する医療情報データベース302を有するとともに、電子カルテシステム111，医事会計システム112，HIS(病院情報システム)113，RIS(放射線情報システム)114，PACS(医療画像サーバ)115，CT，MRI，超音波装置等のモダリティ116，レポートシステム117等の病院内の医療情報システムから所望する医療情報を取得する働きを有する。
すなわち、看護支援サーバ105は、ユーザ認証手段301と、医療情報データベース302と、通信手段303と、制御手段304、医療情報取得手段305とを有している。
【００２５】
ユーザ認証手段301は、看護支援端末104から院内ネットワーク106を介して受信したユーザ名、パスワード等のユーザを特定するユーザ認証情報を用いて、ユーザを認証する働きを有している。
【００２６】
医療情報データベース302は、文字データや画像データによって構成された診療録や、看護記録、医用画像等の医療現場で発生する医療情報を格納している。また、医療情報データベース302は、医療情報取得手段305により電子カルテシステム111，医事会計システム112，HIS(病院情報システム)113，RIS(放射線情報システム)114，PACS(医療画像サーバ)115，CT，MRI，超音波装置等のモダリティ116，レポートシステム117等の病院内の医療情報システムから受信した医療情報を格納することもできる。
【００２７】
通信手段303は、院内ネットワーク106を介して、看護支援端末104により、ユーザ操作結果や医療情報要求等の出力結果を受信し、要求された医療情報を送出する通信機能を有している。
【００２８】
制御手段304は、CPUやDSP等として知られる一般的なコンピュータの演算装置から構成されるものであり、看護支援端末104から院内ネットワーク106を介して受信したユーザ操作結果や医療情報要求等の出力結果に基づいて、医療情報データベース302から要求に対応した所定の医療情報を選択する働きを有している。
【００２９】
医療情報取得手段305は、電子カルテシステム111，医事会計システム112，HIS(病院情報システム)113，RIS(放射線情報システム)114，PACS(医療画像サーバ)115，CT，MRI，超音波装置等のモダリティ116、レポートシステム117等の病院内の医療情報システムから院内ネットワーク106を介して医療情報を取得する働きを有する。また、医療情報取得手段305は、取得した医療情報を医療情報データベース302に格納する。
【００３０】
以上の構成に基づき、図3及び図4を用いて、看護支援システム100において実現される処理例を説明する。図3は看護支援システム100における医療情報取得処理を示すフローチャートである。図4は医療情報を取得した看護支援端末104におけるLED点滅，バイブレーション(振動)，画面表示，アラーム，合成音声等の出力を示す概念図である。
【００３１】
看護支援端末104に取り付けられた非接触タグ読取装置206は、常に非接触タグ装置から送信される患者識別情報を受信待ちしている(ステップ401)。
【００３２】
看護支援端末104に取り付けられた非接触タグ読取装置206は、非接触タグ装置から患者識別情報を受信すると、データ格納手段204に格納する(ステップ402)。
【００３３】
看護支援端末104の制御手段205は、患者識別情報とともにデータ格納手段204に予め格納してある看護支援端末104の装置識別情報を、通信手段203を用いて看護支援サーバ105に送信する(ステップ403)。
【００３４】
看護支援サーバ105の通信手段303は、看護支援端末104から患者識別情報と装置識別情報を受信する(ステップ404)。
【００３５】
看護支援サーバ105の制御手段304は、受信した患者識別情報を基に医療情報データベース302から温度板，看護記録，検査予定，検査結果，処方箋等の患者に関わる医療情報を取得する(ステップ405)。
【００３６】
この時、看護支援サーバ105の医療情報取得手段305は、必要とあれば電子カルテシステム111から患者ID，患者名，性別，年齢等の患者基本情報及び新規オーダ，変更オーダ，緊急オーダ等のオーダ情報を、RIS(放射線情報システム)114から検査ID，検査モダリティ名，検査部位，造影剤の種類等の撮影検査情報を、PACS(医療画像サーバ)115及びモダリティ116から撮影した医療画像を、レポートシステム117から所見，診断名，コメント等のレポート情報を、ステップ405と同様に取得することもできる。
看護支援サーバ105の制御手段304は、取得した医療情報を通信手段303を用いて装置識別情報で特定される看護支援端末104に送信する(ステップ406)。
【００３７】
看護支援端末104の通信手段203は、看護支援サーバ105から医療情報を受信し、データ格納手段204に格納する(ステップ407)。
【００３８】
看護支援端末104の制御手段205は、格納した医療情報をディスプレイ202に表示する(ステップ408)。
【００３９】
この時、通知手段207によりLEDを点滅させたり、バイブレーションにより看護支援端末104を振動させたり、アラーム音や医療情報を取得した旨を伝える合成音声をスピーカーから出力させてもよい。更にディスプレイ202に、医療情報を取得した旨を伝えるメッセージを表示してもよい。また、画面全体及び一部を点滅させてもよい。
これらの処理が終了すると、看護支援端末104に取り付けられた非接触タグ読取装置206は、非接触タグ装置から送信される患者識別情報の受信待ち状態に戻る(ステップ401)。
【００４０】
なお、患者識別情報の受信待ち状態に戻った後、再び非接触タグ装置から患者識別情報を受信した場合、新たに検知した患者識別情報で特定できる患者の医療情報だけを看護支援サーバから取得すればよい。また、既に検知した患者の医療情報に関しても、新規追加及び変更のあった医療情報だけを取得し、看護支援端末を操作する医療スタッフに通知すればよい。
【００４１】
[第二の実施形態]
以下、添付の図面を参照し説明する。図5は、本発明の請求項2に記載の看護支援システム500の構成の一例を示すブロック図である。
図5に示すように、看護支援システム500は、非接触タグ装置501，502と、非接触タグ読取装置503，看護支援端末504と、看護支援サーバ505と、院内ネットワーク506とを有している。
【００４２】
院内ネットワーク506は、病院内のネットワークを例としているが、病院内のネットワークのほか、患者個人にとって最高機密に当たる医療情報をデータ転送するものであるから、セキュリティが確立されたもとでのインターネット等、ローカルだけでなくワールドワイドなネットワークであってもよい。また、携帯電話システム、PHSシステム等の公衆通信網や、無線LANシステム等の無線による通信網や、専用回線および有線LANシステムなどの有線による通信網等を組み合わせたものであってもよい。
【００４３】
クライアントPC及びPDA、ベッドサイド端末等の看護支援端末504は、それぞれ複数台用意し、院内ネットワーク505を介して看護支援サーバ506と接続してもよい。また、看護支援端末504は、病院内で種々の業務を行う複数人の医療スタッフが携帯して使用してもよく、病院案内板や、待ち合い表示板，病棟および病室内のベットサイド端末，ナースステーションおよび診察室内の電子カルテ端末，病院受付け窓口の受付け端末，会計処理端末等、病院内のあらゆる場所に設置されたコンピュータにソフトウエアをインストールすることで看護支援端末504として使用することができる。
【００４４】
非接触タグ装置501は、予め病院で準備された患者の名札等に装着されている。尚、非接触タグ装置501を装着する物は、患者の名札に限らず、衣服，専用装具でもよく、要は患者を特定可能なものであれば、いかなる物でもよい。
この非接触タグ装置501は、患者識別情報を記憶する機能と、非接触タグ読取装置503と通信して患者識別情報を送信する通信機能を有している。
【００４５】
また、非接触タグ装置502は携帯電話や、PHS，携帯情報端末(PDA)等の情報通信機器及びパーソナルコンピュータやワークステーション等の看護支援端末506に配設されている。
この非接触タグ装置502は、装置識別情報を記憶する機能と、非接触タグ読取装置503と通信して装置識別情報を送信する通信機能を有している。
【００４６】
非接触タグ読取装置503は、患者が移動する可能性のある病院内の病室，通路，トイレ，診察室，検査室等のあらゆる場所に、非接触タグ装置501，502への電力供給及び通信用のアンテナコイルが配設され、非接触タグ装置501，502との近接無線通信を行い、非接触タグ装置501，502から患者識別情報及び装置認別情報を読み取る機能と、有線及び無線によって院内ネットワーク506と接続する機能を有している。
【００４７】
看護支援端末504は、携帯電話や、PHS，携帯情報端末(PDA)等の情報通信機器及びパーソナルコンピュータやワークステーションと、その上で動作するソフトウエアから構成され、文字データおよび画像データによって、診療録や、看護記録，医用画像等の医療現場で発生する医療情報を提供する。
すなわち、看護支援端末504は、非接触タグ装置502と、ユーザ操作入力手段601と、ディスプレイ602と、通信手段603と、データ格納手段604と、制御手段605と、通知手段606とを有している。
【００４８】
ユーザ操作入力手段601は、ユーザの操作を受付けるための、カーソルキー，ボタン，スイッチ，タッチパネル等の操作用機器から構成される。また、ユーザ操作を受付ける方法としては、音声入力と音声認識技術を利用し、ユーザの発声により受付けるようにしてもよい。
【００４９】
ディスプレイ602は、液晶パネル等から構成されるもので、看護支援端末504内に格納されたデータ、あるいは、ユーザの操作を促すための、メニューやガイダンス等の操作支援情報を表示する手段であり、待ち合い表示板や、患者へのインフォームドコンセント用の説明画面，医師及び看護師等の医療スタッフのカンはレンス用の説明及び連絡画面等の医療情報を表示する機能を有している。
【００５０】
通信手段603は、無線により院内ネットワーク506に接続されている場合、アンテナ，送受信信号の変復調装置，通信インターフェース等から構成され、有線により院内ネットワーク506に接続されている場合、送受信信号の変復調装置，通信インターフェース等から構成される。
【００５１】
看護支援サーバ505から、院内ネットワーク506を介して、医療情報を受信し、データ格納手段604に渡す働きを有している。また、ユーザ認証時に必要となるユーザ名，パスワード等のユーザ認証情報を院内ネットワーク506を介して、看護支援サーバ505に送信し、所定のユーザ認証処理を行ってもよい。
【００５２】
データ格納手段604は、データ記憶用のメモリや、外部記憶装置から構成されるものであり、通信手段603から渡された医療情報を格納するとともに、制御手段605からの要求に基づき、格納してある医療情報を制御手段605へと渡す働きを有している。
【００５３】
制御手段605は、CPUやDSP等として知られる一般的なコンピュータの演算装置から構成されるものであり、データ格納手段604から読み出した医療情報をディスプレイ602に表示する。
【００５４】
通知手段606は、看護支援サーバ505から医療情報を取得した旨を通知するための機能として、LED606A及びLEDが発光する光を点滅させる光点滅部606Bと、看護支援端末を振動させるバイブレーション606Cと、アラーム音や合成音声を出来するスピーカー606D及び音声出力部606Eとを有している。
【００５５】
看護支援サーバ505は、パーソナルコンピュータやワークステーション等と、その上で動作するソフトウエアから構成され、看護支援端末505に提供する文字データ及び画像データによって、診療録や、看護記録，医用画像等の医療現場で発生する医療情報を格納する医療情報データベース702を有するとともに、電子カルテシステム511，医事会計システム512，HIS(病院情報システム)513，RIS(放射線情報システム)514，PACS(医療画像サーバ)515，CT，MRI，超音波装置等のモダリティ516，レポートシステム517等の病院内の医療情報システムから所望する医療情報を取得する働きを有する。
すなわち、看護支援サーバ505は、ユーザ認証手段701と、医療情報データベース702と、通信手段703と、制御手段704，医療情報取得手段705とを有している。
【００５６】
ユーザ認証手段301は、看護支援端末504から院内ネットワーク506を介して受信したユーザ名、パスワード等のユーザを特定するユーザ認証情報を用いて、ユーザを認証する働きを有している。
【００５７】
医療情報データベース702は、文字データや画像データによって構成された診療録や、看護記録、医用画像等の医療現場で発生する医療情報を格納している。また、医療情報取得手段705により電子カルテシステム511，医事会計システム512，HIS(病院情報システム)513，RIS(放射線情報システム)514，PACS(医療画像サーバ)515，CT，MRI，超音波装置等のモダリティ516，レポートシステム517等の病院内の医療情報システムから受信した医療情報を格納することもできる。
【００５８】
通信手段703は、院内ネットワーク506を介して、看護支援端末504により、ユーザ操作結果や医療情報要求などの出力結果を受信し、要求された医療情報を送出する通信機能を有している。
【００５９】
制御手段704は、CPUやDSP等として知られる一般的なコンピュータの演算装置から構成されるものであり、看護支援端末504から院内ネットワーク506を介して受信したユーザ操作結果や医療情報要求等の出力結果に基づいて、医療情報データベース702から要求に対応した所定の医療情報を選択する働きを有している。
【００６０】
医療情報取得手段705は、電子カルテシステム511，医事会計システム512，HIS(病院情報システム)513，RIS(放射線情報システム)514，PACS(医療画像サーバ)515，CT，MRI，超音波装置等のモダリティ516，レポートシステム517等の病院内の医療情報システムから院内ネットワーク506を介して医療情報を取得する働きを有する。また、医療情報取得手段705は、取得した医療情報を医療情報データベース702に格納する。
【００６１】
以上の構成に基づき、図6及び図7を用いて、看護支援システム500において実現される処理例を説明する。図6は看護支援システム500における医療情報の取得処理を示すフローチャートである。図7は医療情報を取得した看護支援端末504におけるLED点滅，バイブレーション(振動)，画面表示，アラーム，合成音声等の出力を示す概念図である。
【００６２】
非接触タグ読取装置503は、常に非接触タグ装置から送信される患者識別情報及び装置識別情報を受信待ちしている(ステップ801)。
非接触タグ読取装置503は、非接触タグ装置から患者識別情報及び装置識別情報を受信すると、院内ネットワーク506を介して看護支援サーバ505に送信する(ステップ802)。この時、非接触タグ読取装置503は、非接触タグ読取装置503の装置識別情報もともに送信する(ステップ803)。
【００６３】
なお、非接触タグ読取装置503は、患者識別情報及び装置識別情報、非接触タグ読取装置503の装置識別情報を送信すると、受信待ち状態に戻る。
【００６４】
看護支援サーバ505の通信手段703は、非接触タグ読取装置503から患者識別情報及び装置識別情報、非接触タグ読取装置503の装置識別情報を受信する(ステップ804)。
【００６５】
看護支援サーバ505の制御手段704は、受信した患者識別情報を基に医療情報データベース702から温度板，看護記録，検査予定，検査結果，処方箋等の患者に関わる医療情報を取得する(ステップ805)。
【００６６】
この時、看護支援サーバ505の医療情報取得手段705は、必要とあれば電子カルテシステム711から患者ID，患者名，性別，年齢等の患者基本情報及び新規オーダ，変更オーダ，緊急オーダ等のオーダ情報を、RIS(放射線情報システム)714から検査ID，検査モダリティ名，検査部位，造影剤の種類等の撮影検査情報を、PACS(医療画像サーバ)715及びモダリティ716から撮影した医療画像を、レポートシステム717から所見，診断名，コメント等のレポート情報を、ステップ085と同様に取得することもできる。
【００６７】
看護支援サーバ505の制御手段704は、取得した医療情報を通信手段703を用いて装置識別情報で特定される看護支援端末504に送信する(ステップ806)。
なお、予め設定した時間以内に再び同じ非接触タグ読取装置503から同じ患者識別情報及び装置識別情報を再び受信した場合、新規追加及び変更のあった医療情報だけを取得し、看護支援端末504に送信すればよい。
【００６８】
看護支援端末504の通信手段603は、看護支援サーバ505から医療情報を受信し、データ格納手段604に格納する(ステップ807)。
【００６９】
看護支援端末504の制御手段605は、格納した医療情報をディスプレイ602に表示する(ステップ808)。
【００７０】
この時、通知手段607によりLEDを点滅させたり、バイブレーションにより看護支援端末104を振動させたり、アラーム音や医療情報を取得した旨を伝える合成音声をスピーカーから出力させてもよい。また、画面全体及び一部を点滅させてもよい。更にディスプレイ202に、医療情報を取得した旨を伝えるメッセージを表示してもよい。
【００７１】
このように、看護支援端末は特定された患者の医療情報を看護支援サーバから取得するため、看護支援端末を操作する医師、看護師等の院内の病院スタッフに意識されることなく、目的の患者の医療情報を自動的に看護支援端末に表示できる。また看護支援端末は予め目的の患者の医療情報を取得するため、看護支援端末を操作する病院スタッフに通信時間を感じさせない。病院スタッフの業務効率の向上、ストレス低減が実現される。
【図面の簡単な説明】
【００７２】
【図１】看護支援システム100の構成の一例を示すブロック図。
【図２】非接触タグ装置101，102，103の取り付け例。
【図３】看護支援システム100における医療情報取得処理を示すフローチャート。
【図４】医療情報を取得した看護支援端末104におけるLED点滅、バイブレーション(振動)、画面表示、アラーム、合成音声等の出力を示す概念図。
【図５】看護支援システム500の構成の一例を示すブロック図。
【図６】看護支援システム500における医療情報取得処理を示すフローチャート。
【図７】医療情報を取得した看護支援端末504におけるLED点滅、バイブレーション(振動)、画面表示、アラーム、合成音声等の出力を示す概念図。
【符号の説明】
【００７３】
100  看護支援システム、101，102，103  非接触タグ装置、104  看護支援端末、105  看護支援サーバ、106  院内ネットワーク、111  電子カルテシステム、112  医事会計システム、113  HIS(病院情報システム)、114  RIS(放射線情報システム)、115  PACS(医療画像サーバ)、116  CT，MRI，超音波装置等のモダリティ、117  レポートシステム、201  ユーザ操作入力手段、202  ディスプレイ、203  通信手段、204  データ格納手段、205  制御手段、206  非接触タグ読取装置、207  通知手段、301  ユーザ認証手段、302  医療情報データベース、303  通信手段、304  制御手段、305  医療情報取得手段、500  看護支援システム、501，502  非接触タグ装置、503  非接触タグ読取装置、504  看護支援端末、505  看護支援サーバ、506  院内ネットワーク、511  電子カルテシステム、512  医事会計システム、513  HIS(病院情報システム)、514  RIS(放射線情報システム)、515  PACS(医療画像サーバ)、516  CT，MRI，超音波装置等のモダリティ、517  レポートシステム、601  ユーザ操作入力手段、602  ディスプレイ、603  通信手段、604  データ格納手段、605  制御手段、606  通知手段、701  ユーザ認証手段、702  医療情報データベース、703  通信手段、704  制御手段、705  医療情報取得手段
【図１】
2006172340.tif 000003
【図２】
2006172340.tif 000004
【図３】
2006172340.tif 000005
【図４】
2006172340.tif 000006
【図５】
2006172340.tif 000007
【図６】
2006172340.tif 000008
【図７】
2006172340.tif 000009